(57)【要約】      （修正有）【課題】端子ピンを介して液体がコネクタ内に侵入することを防止し、コネクタの作用を正常に保つ。【解決手段】本発明による防水コネクタ一体型レゾルバは、所定角度間隔で内方へ向けて突出する複数の突出磁極(2)を有する輪状ステータ（1）と、前記輪状ステータの第１、第２端面(１ａ,1b)に一体又は別体にて設けられ、第１樹脂（R1a）よりなる絶縁樹脂カバー(3b)と、前記絶縁樹脂カバーの一部に一体に形成された端子ピン保持部(10)と、前記端子ピン保持部に設けられた端子ピン(4)と、を備え、前記端子ピンは、前記端子ピンと樹脂界面の密着性が前記第１樹脂よりも高い第２樹脂(R2a)で形成された第２樹脂部(R2)を有し、前記端子ピン保持部は、前記輪状ステータの軸方向(A)と同じ方向に沿って延設され、前記絶縁樹脂カバー及び前記端子ピン保持部と前記第２樹脂部とは、二色成形で形成されている。【選択図】図１
2018033208.tif 000002
【特許請求の範囲】
【請求項１】
所定角度間隔で内方へ向けて突出する複数の突出磁極(2)を有する輪状ステータ(1)と、前記輪状ステータ(1)の第１、第２端面(1a,1b)に一体又は別体にて設けられ、第１樹脂(R1a)よりなる絶縁樹脂カバー(3b)と、前記絶縁樹脂カバー(3b)の一部に一体に形成された端子ピン保持部(10)と、前記端子ピン保持部(10)に設けられた端子ピン(4)と、を備え、
前記端子ピン(4)は、前記端子ピン(4)と樹脂界面の密着性が前記第１樹脂(R1a)よりも高い第２樹脂(R2a)で形成された第２樹脂部(R2)を有し、
前記端子ピン保持部(10)は、前記輪状ステータ(1)の軸方向(A)と同じ方向に沿って延設され、
前記絶縁樹脂カバー(3b)及び前記端子ピン保持部(10)と前記第２樹脂部(R2)とは、二色成形で形成されている構成としたことを特徴とする防水コネクタ一体型レゾルバ。
【請求項２】
前記端子ピン保持部(10)の一部(3d)は、前記輪状ステータ(1)の孔部(1c)内に位置する構成としたことを特徴とする請求項１記載の防水コネクタ一体型レゾルバ。
【請求項３】
前記第２樹脂部(R2)は、シリコンゴム又はエラストマー樹脂よりなる構成としたことを特徴とする請求項１又は２記載の防水コネクタ一体型レゾルバ。
【請求項４】
前記輪状ステータ(1)のステータ周縁部(1d)は、インサート成形により、前記端子ピン保持部(10)内に位置している構成としたことを特徴とする請求項１ないし３の何れかに記載の防水コネクタ一体型レゾルバ。
【請求項５】
前記端子ピン(4)は、その一端(4a)が前記端子ピン保持部(10)内の空間(5)内に突出し、その他端(4b)が前記第２樹脂部(R2)を貫通して前記端子ピン保持部(10)の端子ピン保持部外(10c)に突出している構成としたことを特徴とする請求項１ないし４の何れかに記載の防水コネクタ一体型レゾルバ。
【発明の詳細な説明】
【技術分野】
【０００１】
本発明は、防水コネクタ一体型レゾルバに関し、特に、端子ピン保持部に設ける端子ピンを、端子ピンと樹脂界面の密着性がより高く、かつ、端子ピン保持部に用いた樹脂とは異なる樹脂で二色成形することにより、樹脂界面から端子ピン保持部（コネクタ）内への液体の侵入を防止するための新規な改良に関する。
【背景技術】
【０００２】
従来、用いられていたこの種のレゾルバとしては、特許文献１に示された構成を図３及び図４に開示することができる。
すなわち、図３及び図４において、輪状のステータコア本体１の周縁に形成された各突出磁極２には、輪状の第２インシュレータ部３ｂを介して巻線部５が設けられている。
【０００３】
前記第２インシュレータ部３ｂの一端には、ピン８とオスターミナル４を有する第１インシュレータ部３ａがインサート成形によって形成され、段付き形状に形成された第１インシュレータ部３ａ内には、前記オスターミナル４が外部とは絶縁された状態で内設されている。
図４で示される構成は、ロータ６が内設できるステータコア本体１に各インシュレータ部３ａ，３ｂを介して巻線部５が形成され、ピン８及びオスターミナル４を有するレゾルバの内部構造４０の完成品を示している。
【０００４】
次に、図３で示されるレゾルバ５０は、前述の図４で示される前記内部構造４０を、周知の射出成形機の金型内に装填し、所要の樹脂材料が金型内に射出されることにより、前記第１インシュレータ部３ａを覆うための巻線コネクタ１０、ケース９、巻線部５を覆うための第３インシュレータ部３ｃが二色成形としてインサート成形されている。
但し、前記ロータ６は、前記金型内に装填されることはない。
【０００５】
また、前述の図３及び図４の構成においては、１度射出成形した前記内部構造４０を再度金型内に装填し、２度目の射出成形において、各巻線部５の絶縁等を行っている。
さらに、特許文献１の図５及び図６に開示されている構成においては、ここでは図示していないが、前述の図３の前記巻線コネクタ１０内に、防水リング等を挿入して、オスターミナル４側への液体の侵入を防止するように構成していた。
【０００６】
また、前述の図３及び図４は、特許文献１に開示された射出成形によって前記オスターミナル４を第１インシュレータ部３ａによって補強するようにしたレゾルバを構成する場合について述べたが、図２は、文献は開示していないが、本出願人製の防水構造を有する従来構造のレゾルバ５０を示している。
すなわち、図２においては、周知のように輪状に形成されたレゾルバ５０を半径方向Ｂに沿って切断した断面図である。
【０００７】
図２のレゾルバ５０においては、前述の図３及び図４で用いた部材と同一又は同等部分には、同一符号を付して説明する。
輪状ステータ１の第１端面１ａ及び第２端面１ｂには、一体又は別体にて形成された輪状絶縁カバーとしての絶縁樹脂カバー３ｂは、通常、絶縁性のみの特性を有していればよいので、例えば、周知のポリブチレンテレフタレート（ＰＢＴ）等の第１樹脂Ｒ１によって射出成形されている。
前記絶縁樹脂カバー３ｂの一部３ｄには、端子ピン保持部１０が前記輪状ステータ１の軸方向Ａに沿って突出する状態で一体成形されている。
【０００８】
前記端子ピン保持部１０の端部１０ａは、前記輪状ステータ１の孔部１ｃ内で一体化され、断面でみると、前記輪状ステータ１のステータ周縁部１ｄが前記端子ピン保持部１０内にインサート成形されて構成されている。
【０００９】
前記端子ピン保持部１０には、前記端部１０ａの上方位置（図２でみて）にメスコネクタ(図示せず)を挿入するための空間５１が形成されている。
前記端子ピン保持部１０の端部１０ａを貫通するようにインサート成形された端子ピン４の一端４ａは、前記空間５１内に突出して露出し、コネクタ１０ｂのオスピンの役割を構成している。
また、前記端子ピン４の他端４ｂは、前記端子ピン保持部１０の下方（図２でみて）の端子ピン保持部外１０ｃに向けて垂下し、かつ、露出している。
【先行技術文献】
【特許文献】
【００１０】
【特許文献１】特許第４，４２５，０４５号公報
【発明の概要】
【発明が解決しようとする課題】
【００１１】
従来のレゾルバは、以上のように構成されていたため、次のような課題が存在していた。
すなわち、図３及び図４で示される第１従来構成の場合、ステータコア本体１に接続されたオスターミナル４には第１インシュレータ部３ａが設けられ、この第１インシュレータ部３ａがケース９と共に射出成形されているが、前記第１インシュレータ部３ａは前記オスターミナル４の補強のためであり、オスターミナル４と第１インシュレータ部３ａ及びケース９との防水性は全く考慮されていなかった。
【００１２】
また、前記巻線コネクタ１０の長手方向Ｃは、ステータコア本体１の軸方向Ａに対して直交する方向に延設されていたため、レゾルバ５０の径方向の寸法を小型化することは極めて困難であった。
また、前述の図３の構成によるレゾルバ５０においては、このレゾルバ５０を油等の液体中又は液体の近くで用いる場合には、使用形態が限られることになり、液体が巻線コネクタ１０側に侵入することになっていた。
【００１３】
また、前述の特許文献１に開示された図５及び図６においては、図示していない防水リングを用いた防水コネクタ１１を用いて、コネクタ側に液体が侵入することのないように構成しているが、防水リングは経時変化しやすく、長年にわたり、液体の侵入を防止することは困難であった。
【００１４】
本発明は、以上のような課題を解決するためになされたもので、特に、端子ピン保持部に設ける端子ピンを、端子ピンと樹脂界面の密着性がより高く、かつ、端子ピン保持部に用いた樹脂とは異なる樹脂で二色成形することにより、樹脂界面から端子ピン保持部（コネクタ）内への液体の侵入を防止するようにした防水コネクタ一体型レゾルバを提供することを目的とする。
【課題を解決するための手段】
【００１５】
本発明による防水コネクタ一体型レゾルバは、所定角度間隔で内方へ向けて突出する複数の突出磁極を有する輪状ステータと、前記輪状ステータの第１、第２端面に一体又は別体にて設けられ、第１樹脂よりなる絶縁樹脂カバーと、前記絶縁樹脂カバーの一部に一体に形成された端子ピン保持部と、前記端子ピン保持部に設けられた端子ピンと、を備え、前記端子ピンは、前記端子ピンと樹脂界面の密着性が前記第１樹脂よりも高い第２樹脂で形成された第２樹脂部を有し、前記端子ピン保持部は、前記輪状ステータの軸方向と同じ方向に沿って延設され、前記絶縁樹脂カバー及び前記端子ピン保持部と前記第２樹脂部とは、二色成形で形成されている構成であり、また、前記端子ピン保持部の一部は、前記輪状ステータの孔部内に位置する構成であり、また、前記第２樹脂部は、シリコンゴム又はエラストマー樹脂よりなる構成であり、また、前記輪状ステータのステータ周縁部は、インサート成形により、前記端子ピン保持部内に位置している構成であり、また、前記端子ピンは、その一端が前記端子ピン保持部内の空間内に突出し、その他端が前記第２樹脂部を貫通して前記端子ピン保持部の端子ピン保持部外に突出している構成である。
【発明の効果】
【００１６】
本発明による防水コネクタ一体型レゾルバは、以上のように構成されているため、次のような効果を得ることができる。
すなわち、所定角度間隔で内方へ向けて突出する複数の突出磁極を有する輪状ステータと、前記輪状ステータの第１、第２端面に一体又は別体にて設けられ、第１樹脂よりなる絶縁樹脂カバーと、前記絶縁樹脂カバーの一部に一体に形成された端子ピン保持部と、前記端子ピン保持部に設けられた端子ピンと、を備え、前記端子ピンは、前記端子ピンと樹脂界面の密着性が前記第１樹脂よりも高い第２樹脂で形成された第２樹脂部を有し、前記端子ピン保持部は、前記輪状ステータの軸方向と同じ方向に沿って延設され、前記絶縁樹脂カバー及び前記端子ピン保持部と前記第２樹脂部とは、二色成形で形成されている構成としたことにより、端子ピンと第２樹脂部とが密着状に形成され、かつ、弾性が失われにくいため、防水性が十分で、コネクタ側への液体の侵入を防ぎ、レゾルバの信号障害等を防止することができる。
また、前記端子ピン保持部の一部は、前記輪状ステータの孔部内に位置する構成としたことにより、輪状ステータと端子ピンとを強固に保持することができる。
また、前記第２樹脂部は、シリコンゴム又はエラストマー樹脂よりなる構成としたことにより、端子ピンと第２樹脂部とのなじみが良好で、第２樹脂部の劣化が遅く、長期に渡り、防水が得られる。
また、前記輪状ステータのステータ周縁部は、インサート成形により、前記端子ピン保持部内に位置している構成としたことにより、前述の同様に、端子ピン保持部の保持が強固となる。
また、前記端子ピンは、その一端が前記端子ピン保持部内の空間内に突出し、その他端が前記第２樹脂部を貫通して前記端子ピン保持部の端子ピン保持部外に突出している構成としたことにより、コネクタと反対側からも信号の送受を行うことができる。
【図面の簡単な説明】
【００１７】
【図１】本発明による防水コネクタ一体型レゾルバの要部を示す断面図である。
【図２】従来用いられていたレゾルバの要部を示す断面図である。
【図３】従来のレゾルバを示す断面図である。
【図４】図３の要部を示す拡大図である。
【発明を実施するための形態】
【００１８】
本発明による防水コネクタ一体型レゾルバは、端子ピン保持部に設ける端子ピンを、端子ピンと樹脂界面の密着性がより高く、かつ、端子ピン保持部に用いた樹脂とは異なる樹脂で二色成形することにより、樹脂界面から端子ピン保持部（コネクタ）内への液体の侵入を防止することである。
【実施例】
【００１９】
以下、図面と共に本発明による防水コネクタ一体型レゾルバの好適な実施の形態について説明する。
尚、従来例と同一又は同等部分には、同一符号を付して説明する。
図１において符号１で示されるものは、輪状ステータであり、前記輪状ステータ１の第１端面１ａ及び第２端面１ｂには、一体又は別体にて形成された輪状絶縁カバーとしての絶縁樹脂カバー３ｂが設けられ、前記絶縁樹脂カバー３ｂは、所要の絶縁特性を有するだけの従来と同様の樹脂材料である第１樹脂（ＰＢＴ）から構成されている。
【００２０】
前記絶縁樹脂カバー３ｂの一部３ｄには、端子ピン保持部１０が前記輪状ステータ１の軸方向Ａに沿って突出する状態で一体成形されている。
前記端子ピン保持部１０の端部１０ａは、前記輪状ステータ１の孔部１ｃ内で一体化され、断面でみると、前記輪状ステータ１のステータ周縁部１ｄが前記端子ピン保持部１０内にインサート成形されて構成されている。
【００２１】
前記端子ピン保持部１０は、コネクタ１０ｂとしての作用を有するように構成され、前記一部３ｄ内には、前記コネクタ１０ｂを構成するための複数の端子ピン４が前記第１樹脂部Ｒ１とは材質が異なる第２樹脂部Ｒ２によってインサート成形されている。
【００２２】
前記第２樹脂部Ｒ２の樹脂は、前記端子ピンと樹脂界面の密着性が前記第１樹脂部Ｒ１の樹脂よりも高い、例えば、シリコンゴム又はエラストマー樹脂で形成され、前記輪状絶縁カバー３ｂ及び前記端子ピン保持部１０と前記第２樹脂部Ｒ２とは、周知の二色成形で形成されている。
すなわち、第１インサート成形工程にて、輪状ステータ１に対して絶縁樹脂カバー３ｂ及び端子ピン保持部１０を一体成形し、この状態では、前記端子ピン保持部１０には、その上部に空間５１が形成されていると共に、その下部の一部３ｄに前記空間５１に連通する小孔５１ａが形成されている。
【００２３】
次に、前述の端子ピン保持部１０に端子ピン４をインサート成形するために、前記空間５１及び小孔５１ａを有する状態の半製品を再び射出成形機(図示せず)の金型内にセットし、前記小孔５１ａ内を貫通するように複数の端子ピン４をセットし、前記第２樹脂を用いて前記小孔５１ａ内に射出すると、前記小孔５１ａ内に第２樹脂Ｒ２ａが射出され、第２樹脂部Ｒ２が形成されて前記各端子ピン４のインサート成形が完了する。
【００２４】
前記端子ピン４は、その一端４ａが前記端子ピン保持部１０内の空間５１内に突出し、その他端４ｂが前記第２樹脂部Ｒ２を貫通して前記端子ピン保持部１０の外側である端子ピン保持部外１０ｃに突出している。
従って、図２に示される従来のレゾルバのように、１種の樹脂材料を用いて成形した構成に対して、端子ピン保持部１０は、樹脂界面の密着性がより高い第２樹脂Ｒ２ａでインサート成形されているため、レゾルバを液体中又は液体の近くで用いた場合でも、端子ピン４を介して前記空間５１内への液体の侵入を防止し、コネクタ１０ｂの機能不良等の防止を十分に達成することができる。
尚、図１の形態では、輪状ステータ１の一部断面しか示されていないが、他の部分は省略し、ロータも省略している。
【００２５】
次に、本発明による防水コネクタ一体型レゾルバの要旨とするところは、以下の通りである。
すなわち、所定角度間隔で内方へ向けて突出する複数の突出磁極２を有する輪状ステータ１と、前記輪状ステータ１の第１、第２端面１ａ，１ｂに一体又は別体にて設けられ、第１樹脂Ｒ１ａよりなる絶縁樹脂カバー３ｂと、前記絶縁樹脂カバー３ｂの一部に一体に形成された端子ピン保持部１０と、前記端子ピン保持部１０に設けられた端子ピン４と、を備え、前記端子ピン４は、前記端子ピン４と樹脂界面の密着性が前記第１樹脂Ｒ１ａよりも高い第２樹脂Ｒ２ａで形成された第２樹脂部Ｒ２を有し、前記端子ピン保持部１０は、前記輪状ステータ１の軸方向Ａと同じ方向に沿って延設され、前記絶縁樹脂カバー３ｂ及び前記端子ピン保持部１０と前記第２樹脂部Ｒ２とは、二色成形で形成されている構成であり、また、前記端子ピン保持部１０の一部３ｄは、前記輪状ステータ１の孔部１ｃ内に位置する構成であり、また、前記第２樹脂部Ｒ２は、シリコンゴム又はエラストマー樹脂よりなる構成であり、また、前記輪状ステータ１のステータ周縁部１ｄは、インサート成形により、前記端子ピン保持部１０内に位置している構成であり、また、前記端子ピン４は、その一端４ａが前記端子ピン保持部１０内の空間５１内に突出し、その他端４ｂが前記第２樹脂部Ｒ２を貫通して前記端子ピン保持部１０の端子ピン保持部外１０ｃに突出している構成である。
【産業上の利用可能性】
【００２６】
本発明による防水コネクタ一体型レゾルバは、端子ピン保持部内の端子ピンを第２樹脂部でインサート成形しているため、端子ピンを介してコネクタ側へ液体が侵入することを防止し、常に、正常なレゾルバ信号を出力することができる。
【符号の説明】
【００２７】
１    輪状ステータ
１ａ    第１端面
１ｂ    第２端面
１ｃ    孔部
１ｄ    ステータ周縁部
２    突出磁極
３ｂ    絶縁樹脂カバー
４    端子ピン
４ａ    一端
４ｂ    他端
１０    端子ピン保持部
１０ａ    端部
１０ｂ    コネクタ
１０ｃ    端子ピン保持部外
５０    レゾルバ
５１    空間
５１ａ    小孔
Ｒ１    第１樹脂部
Ｒ１ａ    第１樹脂
Ｒ２    第２樹脂部
Ｒ２ａ    第２樹脂
Ａ    軸方向
Ｂ    半径方向
【図１】
2018033208.tif 000003
【図２】
2018033208.tif 000004
【図３】
2018033208.tif 000005
【図４】
2018033208.tif 000006